(57)【要約】【課題】車両のヘッドライトの光放射を調整する方法を提供する。【解決手段】車両の少なくとも１つのヘッドライトの光放射を調整する方法であって、変化イネーブル信号への応答で始まるデバウンシング時間またはデバウンシング距離の間に、前記少なくとも１つのヘッドライトの光放射を初期照射特性から最終照射特性へ変化させるための当該変化イネーブル信号を受信するステップと、前記少なくとも１つのヘッドライトの光放射を前記初期照射特性から中間照射特性へ、前記変化イネーブル信号に応答して変化するステップと、前記少なくとも１つのヘッドライトの光放射を前記中間照射特性から前記最終照射特性へ、前記デバウンシング時間および／またはデバウンシング距離の後に変化するステップと、を有する方法。【選択図】図４
2013043640.tif 000002
【特許請求の範囲】
【請求項１】
車両（３００）の少なくとも１つのヘッドライト（３７０）の光放射を調整する方法（４００）であって、
変化イネーブル信号への応答で始まるデバウンシング時間および／またはデバウンシング距離の間に、前記少なくとも１つのヘッドライト（３７０）の光放射を初期照射特性（３７３，８７３）から最終照射特性（３７７，８７７）へ変化させるための当該変化イネーブル信号を受信するステップと、
前記少なくとも１つのヘッドライト（３７０）の光放射を前記初期照射特性（３７３，８７３）から中間照射特性（３７５，８７５）へ、前記変化イネーブル信号に応答して変化するステップと、
前記少なくとも１つのヘッドライト（３７０）の光放射を前記中間照射特性（３７５，８７５）から前記最終照射特性（３７７，８７７）へ、前記デバウンシング時間および／またはデバウンシング距離の終了時に変化するステップと、
を有する方法。
【請求項２】
請求項１に記載の方法（４００）であって、
前記変化の少なくとも１つのステップ（４２０，４３０）では光放射が徐々に変化される方法。
【請求項３】
請求項１または２に記載の方法（４００）であって、
前記変化の少なくとも１つのステップ（４２０，４３０）は、前記光放射を変化するための少なくとも１つのイネーブル条件を満たすことを示す値を前記変化イネーブル信号が有するときに実行される方法。
【請求項４】
請求項１から３までのいずれか１項に記載の方法（４００）であって、
前記車両（３００）の車両特性および／または走行特性に基づいて前記中間照射特性を決定するステップ（９１５）を有し、
前記デバウンシング時間中および／またはデバウンシング距離の間に前記決定するステップ（９１５）が実行される方法。
【請求項５】
請求項４に記載の方法（４００）であって、
前記決定ステップ（９１５）では、前記車両（３００）が運動している道路の勾配に関する情報に基づいて前記中間照射特性（３７５，８７５）が付加的に決定される方法。
【請求項６】
請求項１から５までのいずれか１項に記載の方法（４００）であって、
前記変化イネーブル信号に応答して前記少なくとも１つのヘッドライト（３７０）の光放射を、前記初期照射特性（３７３，８７３）から前記中間照射特性（３７３，８７３）へ変化するステップ（４２０）を実行する時点を求めるステップを有する方法。
【請求項７】
請求項１から６までのいずれか１項に記載の方法（４００）であって、
前記初期照射特性（３７３，８７３）と前記中間照射特性（３７５，８７５）の比較を実行するステップ（１０１５）を有し、
前記少なくとも１つのヘッドライト（３７０）の光放射を前記初期照射特性（３７３，８７３）から前記中間照射特性（３７３，８７３）へ変化するステップ（４２０）は、当該比較に依存して実行される方法。
【請求項８】
請求項１から７までのいずれか１項に記載の方法（４００）であって、
前記少なくとも１つのヘッドライト（３７０）の光放射を前記中間照射特性（３７５，８７５）から少なくとも１つの別の中間照射特性（３７６，８７６）に変化するステップを有し、
前記変化するステップ（４３０）では、前記少なくとも１つのヘッドライト（３７０）の光放射を、前記デバウンシング時間および／またはデバウンシング距離の終了時に前記少なくとも１つの別の中間照射特性（３７６，８７６）から前記最終照射特性（３７７，８７７）に変化する方法。
【請求項９】
請求項１から８までのいずれか１項に記載の方法（４００）のステップを実施するように構成された装置（３２０）。
【請求項１０】
プログラムが装置（３２０）で実施されるときに請求項１から８までのいずれか１項に記載の方法（４００）を実施するためのプログラムコードを有するコンピュータプログラム。
【発明の詳細な説明】
【技術分野】
【０００１】
本発明は、車両のヘッドライトの光放射を調整する方法、ならびに当該方法のステップを実施するように構成された装置に関する。
【背景技術】
【０００２】
公知のハイビームアシストによる車両での光調整には、たとえば眩惑を遅らせるためにデバウンシング時間またはデバウンシング距離が使用される。ここでは一般的にハイビームアシストに所定のデバウンシング時間またはデバウンシング距離が設けられており、これによりたとえばカーブの直後または凸部の直後に消えていて突然（再び）現れた車両が眩惑されないようにする。デバウンシングは一般的にすべてのハイビームアシストで必要である。他の道路使用者が眩惑に関連する交通空間に存在する場合には、夜間では通常ハイビームは使用されない。車両前方の眩惑に関連する交通領域に車両が存在せず、たとえば対向車両とすれ違ったか、または先行車両がカーブの後に消えた場合に初めてハイビームに切り換えることができる。
【０００３】
特許文献１は、自動車のメインヘッドライトの光分布を調整するための制御装置を開示する。
【先行技術文献】
【特許文献】
【０００４】
【特許文献１】欧州特許公開公報第２１１９５９２号
【発明の概要】
【発明が解決しようとする課題】
【０００５】
これを背景に本発明の非従属請求項にしたがって、車両のヘッドライトの光放射を調整する方法、対応する装置、ならびに対応するコンピュータプログラムが紹介される。有利な構成は、それぞれの従属請求項および以下の説明から明らかとなる。
【課題を解決するための手段】
【０００６】
本発明は、たとえばデバウンシング時間またはデバウンシング距離により定義されるデバウンシング窓の間に、車両ヘッドライトの光放射がたとえばロービームからハイビームへの増光過程の枠内で変化するとき、照射特性を１つまたは複数の中間ステップにわたって調整することができるという知識に基づくものである。したがってたとえばロービームに対応することのできる初期照射特性から、たとえばハイビームに対応することのできる最終照射特性へ直接、突然切り換えることは行われない。その代わりに、初期照射特性から最終照射特性へ段階的に変化されるか、または最終照射特性への調整の最終段階が中間照射特性から出発して行われる。
【０００７】
本発明の利点は、デバウンシング時間またはデバウンシング距離について、視界と予防的眩惑回避との間で有利な妥協が図られることである。ハービームとロービームとの頻繁な切り換え、およびそれと結び付いた走行快適性および視覚能力への障害的作用を阻止することができる。ハイビームとロービームとの間の予防的待機であるデバウンシング時間またはデバウンシング距離の間に、運転者は中間ステップによって改善された視界が得られ、他の道路使用者の突然の眩惑が回避される。同じように、ハイビームにした直後に車両が現れた場合の不快なロービームを回避することができる。このようにしてデバウンシング時間またはデバウンシング距離の間の視界と安全性が向上し、突然現れる車両が眩惑される確率を低く抑えることができる。調整はたとえば運転者にとって快適であるように行われる。運転者が容易に知覚することができ、とりわけロービームまたは視界の低減の際に不利に感じられるハービームとロービームの急速な切替えが平均的に頻繁でなくなる。たとえば「ロービームにしたまま」と「ハイビームにする」との間でヘッドライトの中間ステップが調節される。これにより運転者はさらなる視界を得る。しかし現れる他の道路使用者は眩惑されない。なぜなら中間ステップは、明暗境界が最大でもヘッドライトの高さにまでしか達しないよう選択されているからである。たとえば他の道路使用者が残りのデバウンシング時間の間に現れる場合でも減光する必要はないか、最小限の減光でよい。このことは運転者にとっては、交通空間での光量変化による障害が緩和されることを意味する。
【０００８】
本発明は、車両の少なくとも１つのヘッドライトの光放射を調整する方法を提供する。この方法は以下のステップを有する。
【０００９】
変化イネーブル信号への応答で始まるデバウンシング時間またはデバウンシング距離の間に、少なくとも１つのヘッドライトの光放射を初期照射特性から最終照射特性へ変化させるための変化イネーブル信号を受信するステップ、
少なくとも１つのヘッドライトの光放射を初期照射特性から中間照射特性へ、前記変化イネーブル信号に応答して変化するステップ、
少なくとも１つのヘッドライトの光放射を前記中間照射特性から最終照射特性へ、前記デバウンシング時間および／またはデバウンシング距離の後に変化するステップ。
【００１０】
車両は自動車、とりわけ道路自動車、たとえば自家用車、トラック、人員運搬用車両、またはその他の営業車とすることができる。少なくとも１つのヘッドライトは車両の前照灯とすることができる。ここでヘッドライトの光放射は段階的に変化することができる。ヘッドライトの光放射は、ヘッドライトの照射特性に関して変化することができる。初期照射特性、中間照射特性および最終照射特性は、それぞれ少なくとも１つのヘッドライトの照明角度、光分布、明度、光量、照明強度、照射距離を表すことができる。ここで初期照射特性、中間照射特性および最終照射特性は、ヘッドライトの前記パラメータの少なくとも１つに関してそれぞれ異なっている。ここで中間照射特性の照明角度、光分布、明度、光量、照明強度、照射距離の値は、初期照射特性と最終照射特性の対応する値の間にある。たとえば初期照射特性は、最終照射特性よりも小さいヘッドライトの照明角度または短い照明距離にすることができ、その反対でも良い。たとえば初期照射特性はロービームに対応するか、ロービームに類似するものとすることができ、最終照射特性はハイビームに対応するか、ハイビームに類似するものとすることができ、その反対でも良い。デバウンシング時間はヒステリシスの形態にある。デバウンシング時間とはたとえば、初期照射特性と最終照射特性との間でヘッドライトの光放射が変化する際の遅延時間として理解することができる。デバウンシング時間は、変化イネーブル信号の受信直後にスタートすることができる。初期照射特性から中間照射特性への光放射の変化により、同様に変化イネーブル信号の受信直後開始することができる。中間照射特性から最終照射特性への光放射の変化により、デバウンシング時間の終了直後に開始することができる。デバウンシング時間の持続時間は固定的に設定することも、調節することもできる。デバウンシング時間の代わりにデバウンシング距離を使用することができる。デバウンシング距離は、車両の走行した走行区間に関連する。車両の速度を知っていれば、デバウンシング時間からデバウンシング距離を求めることができる。
【００１１】
変化の少なくとも１つのステップでは光放射が徐々に変化される。ヘッドライトの光放射は連続的または無段階もしくはランプ状に変化することができる。ここで少なくとも１つのヘッドライトの初期照射特性から中間照射特性への光放射および／または中間照射特性から最終照射特性への光放射は徐々に変化することができる。このような緩慢な変化は、照射特性の変化の際に突然の変化を回避できるという利点を提供し、運転者の目がそれぞれ新たに調整された照射特性に上手く順応することができる。したがって走行安全性が向上する。なぜなら潜在的な危険性をより良く知覚することができるからである。
【００１２】
実施形態によれば、変化の少なくとも１つのステップは、光放射を変化するための少なくとも１つのイネーブル条件を満たすことを示す値を変化イネーブル信号が有するときに実行することができる。したがって変化の少なくとも１つのステップは、変化イネーブル信号の特別の値または論理レベルに応答して実行することができる。変化イネーブル信号は、光放射を変化するためのイネーブル条件が満たされるときに特別の値または論理レベルを有することができる。ここで満たされたイネーブル条件は、たとえば眩惑に関連する交通空間内に他の車両が存在しないこと、車両の目下の位置が密集した集落等の外であることと規定することができる。変化イネーブル信号が別の値または論理レベルを有する場合、変化の少なくとも１つのステップは実行されない。変化イネーブル信号はデバウンシング時間中にも一時的にまたは一貫して受信することができる。イネーブル条件がデバウンシング時間中に満たされなくなり、これにより変化イネーブル信号が特別の値を有しなくなると、変化の少なくとも１つのステップの実行を中止またはリセットすることができる。このような実施形態は、たとえばそれにより他の道路使用者が眩惑されるおそれのないときにだけ光放射の変化が実行されるという利点を提供する。これにより交通安全性を向上することができる。
【００１３】
車両特性および／または車両の走行データに基づいて中間照射特定を決定するステップを設けることもできる。車両特性は、たとえば車両のヘッドライトの構造高さおよび実施形態に該当する。走行データはたとえば車両の目下の速度またはヨーイング速度に該当する。ここではデバウンシング時間中および／またはデバウンシング距離の間に決定するステップを実行することができる。とりわけデバウンシング時間中に１回または複数回、決定するステップを実行することができる。ここではそれぞれ決定された目下の中間照射特定を、光放射の調整のために使用することができる。言い替えると、初期照射特性から中間照射特性へ光放射を変化するステップの後に、複数回の決定ステップの実行に依存して中間照射特性を更新することができる。このような中間照射特性の決定は、目下の走行状況に対して適合した中間照射特性が存在するという利点を提供する。したがいデバウンシング時間中に、他の道路使用者が眩惑されることをさらに低減することができる。
【００１４】
ここで決定ステップでは、車両が運動している道路の勾配に関する情報に基づいて中間照射特性を付加的に決定することができる。道路の勾配は、たとえば高度推定のための測定プログラムを備えるカメラによって、高度地図を備えるナビゲーション機器によって、または車両前方の走行方向における高度プロフィールを測定、推定または決定することのできる他の装置によって求めることができる。これにより勾配に関する情報を受信し、たとえば高度プロフィールに適合するために中間照射特性を中間照射特性の決定ステップで使用することができる。このような地形適合は、視界も眩惑回避も両方改善できるという利点を提供する。
【００１５】
さらに、変化イネーブル信号に応答して少なくとも１つのヘッドライトの光放射を初期照射特性から中間照射特性へ変化するステップを実行する時点を求めるステップを設けることができる。ここではデバウンシング時間内にある時点を求めることができる。たとえばこの時点は、少なくとも１つのヘッドライトの光放射を初期照射特性から中間照射特性へ変化するステップが、変化イネーブル信号の受信に直ちに応答して実行されるように求めることができる。このような時点を求めることは、眩惑に関連する交通空間内に場合により他の道路使用者がいる目下の交通状況を考慮することができ、変化ステップを適切な時点で実行できるという利点を提供する。これにより他の道路使用者の眩惑の危険性が低下する。
【００１６】
とりわけ初期照射特性と中間照射特性との比較を実行するステップを設けることができる。ここで少なくとも１つのヘッドライトの光放射を初期照射特性から中間照射特性へ変化するステップは、この比較に依存して実行することができる。たとえば初期照射特性と中間照射特性とが第１の関係にあれば、少なくとも１つのヘッドライトの光放射を初期照射特性から中間照射特性へ変化するステップを実行することができる。たとえば初期照射特性と中間照射特性とが第２の関係にあれば、少なくとも１つのヘッドライトの光放射を初期照射特性から中間照射特性へ変化するステップの実行を省略して飛ばすことができる。このような実施形態は、初期照射特性に依存せずに常に適切な中間照射特性を調整することができるという利点を提供する。
【００１７】
さらに少なくとも１つのヘッドライトの光放射を中間照射特性から少なくとも１つの別の中間照射特性に変化するステップを設けることができる。ここで変化するステップでは、少なくとも１つのヘッドライトの光放射を、デバウンシング時間および／またはデバウンシング区間の終了時に少なくとも１つの別の中間照射特性から最終照射特性に変化することができる。少なくとも１つの別の中間照射特性は、値的に、中間照射特性と最終照射特性の間にすることもできる。したがって初期照射特性と最終照射特性との間に複数の中間照射特性を置くことができる。これらの中間照射特性は、光放射が初期照射特性から最終照射特性へ全体として変化する際に実行することができる。このような別の中間照射特性は、少なくとも１つのヘッドライトの光放射を変化する際に、照射特性の突然の変化をさらに低減できるという利点を提供する。
【００１８】
本発明はさらに、本発明の方法のステップを実施または実行するように構成された装置を提供する。とりわけこの装置は、方法の各ステップを実行するように構成された機構を有する。装置の形の本発明の変形実施形態によっても、本発明の基礎とする課題を迅速かつ効率的に解決することができる。
【００１９】
ここで装置とは、センサ信号を処理し、それに依存して制御信号を出力する電子機器であると理解することができる。この装置は、ハードおよび／またはソフト的に構成されたインタフェースを有することができる。ハードウエア的に構成されている場合、インタフェースはたとえば、装置の種々の機能を含むいわゆるＡＳＩＣシステムの一部とすることができる。しかしインタフェースが固有の集積回路でも良く、または少なくとも部分的に離散的構成素子からなっていても良い。ソフトウエア的に構成されている場合、インタフェースは、たとえばマイクロコントローラ上に他のソフトウエアモジュールの他に存在するソフトウエアモジュールとすることができる。
【００２０】
機械により読み出し可能な担体、たとえば半導体メモリ、ハードディスクメモリ、または光学的メモリに記憶されており、プログラムが装置で実行される時に前記実施形態の１つによる方法を実施するための使用されるプログラムコードを有するコンピュータプログラムも有利である。
【００２１】
本発明を以下、添付図面に基づき例として詳細に説明する。
【図面の簡単な説明】
【００２２】
【図１】車両ヘッドライトの種々の照射特性を概略的に示す図である。
【図２】車両ヘッドライトの種々の照射特性を概略的に示す図である。
【図３】本発明の実施例による制御装置を備える車両の概略図である。
【図４】本発明の実施例による方法のフローチャートである。
【図５】本発明の実施例による車両ヘッドライトの種々の照射特性を示す図である。
【図６】本発明の実施例による車両ヘッドライトの種々の照射特性を示す図である。
【図７】本発明の実施例による車両ヘッドライトの種々の照射特性を示す図である。
【図８】本発明の実施例による車両ヘッドライトの種々の照射特性を示す図である。
【図９】本発明の実施例によるアルゴリズムのフローチャートである。
【図１０】本発明の実施例によるアルゴリズムのフローチャートである。
【発明を実施するための形態】
【００２３】
本発明の有利な実施例の以下の説明では、異なる図面に示してあっても類似に作用する要素には同じまたは類似の参照符合が付してあり、これら要素の説明は繰り返さない。
【００２４】
図１Ａから１Ｆは、車両ヘッドライトの種々の照射特性１７１を概略的に示す図である。ここで照射特性１７１は、車両ヘッドライトの光分布もしくは射程または照射距離として示されている。正確に言うと種々の照射特性１７１をハイビームアシスト、たとえばＡＨＣ（適応形ハイビームコントロール）によって調整することができる。ここで照射特性１７１は上から見て図示されている。図１Ａから１Ｆには、照射特性１７１が車両（図示せず）のヘッドライトによってそれぞれ形成され、このような車両は図１Ａから１Ｆのそれぞれ左の画像縁に配置されている。照射特性１７１は光分布または光強度の経過を有する。図１Ｂから１Ｆには、他車１９０も図示されている。図１Ｂから１Ｆの経過で他車１９０は、照射特性１７１を形成する車両を基準にして、ますます小さくなる間隔で配置されている。ここで照射特性１７１はそれぞれ、車両ヘッドライトの光分布または射程の外に他車１９０が存在するようにそれぞれ適合される。たとえば８０ｋｍ／ｈ以上の速度に対してロービームは照射距離が短いのでＡＨＣが開発された。ＡＨＣはヘッドライトの射程をダイナミックに適合することができる。これによりヘッドライトの最大射程が、他車１９０を眩惑することなく調整される。したがって射程の適応が行われる。
【００２５】
図２Ａから２Ｅは、車両ヘッドライトの種々の照射特性を概略的に示す図である。図示されているのは車両２００ならびに種々の照射特性２７１である。図２Ｂから２Ｅには、他車２９０もそれぞれ図示されている。ここで照射特性２７１は、車両２００のヘッドライトの光円錐体として図示されている。種々の照射特性２７１をハイビームアシスト、たとえばＡＨＣ（適応形ハイビームコントロール）によって調整することができる。ここでは照射特性２７１は側面から見て図示されている。図２Ｂでは他車２９０が、図２Ｃよりも車両２００に対して大きな間隔で配置されている。図２Ｄと２Ｅでは、車両２００と他車２９０の存在する走行路が少なくとも登坂路または降坂路を有している。ここで照射特性２７１はそれぞれ、車両ヘッドライトの光分布または射程の外に他車２９０が存在するようにそれぞれ適合される。射程または照射特性２７１の調整は、車両２００のヘッドライトの種々の照射角度の調整を介して行われる。
【００２６】
図３は、本発明の実施例による制御装置を備える車両の概略図である。車両３００は、イネーブル機構３１０、受信機構３３０と第１の変化機構３４０と第２の変化機構３５０とを備える制御装置３２０、制御機器３６０、および２つのヘッドライト３７０を有する。イネーブル機構３１０は制御装置３２０と通信インタフェース、たとえば少なくとも１つの信号線路等を介して接続されている。制御機器３６０は制御装置３２０と別の通信インタフェース、たとえば少なくとも１つの信号線路等を介して接続されている。したがって制御装置３２０は、イネーブル機構３１０と制御機器３６０との間に接続されている。ヘッドライト３７０は制御機器３６０と別の通信インタフェース、たとえば少なくとも１つの信号線路等を介して接続されている。したがって制御機器３６０は、制御装置３２０とヘッドライト３７０との間に接続されている。図３に図示されていなくても、制御機器３５０は制御装置３２０の一部とすることができ、または制御装置３２０が制御機器３６０の一部であっても良い。
【００２７】
イネーブル機構３１０はたとえば、車両カメラ、画像処理、画像分析、パターン認識、対象物識別等を行う適切な方法のための画像処理電子回路、車両データを獲得するための車両センサ、位置データのための送受信機器、およびその他の信号処理電子回路を有することができる。イネーブル機構３１０は、変化イネーブル信号を形成するように構成されている。変化イネーブル信号の種々の論理値は、許可または禁止、および場合によりヘッドライト３７０の光放射を初期照射特性から最終照射特性へ変化させるための別の情報を表すことができる。ここでヘッドライト３７０の光放射を初期放射特性から最終照射特性に変化させることは、変化イネーブル信号に応答して開始されるデバウンシング時間中に行われる。この実施例および別の実施例では、デバウンシング時間に加えて、またはその代わり変化イネーブル信号に応答して開始されるデバウンシング距離を使用することができる。イネーブル機構３１０は、変化イネーブル信号を制御装置３２０に出力するよう構成されている。
【００２８】
制御装置３２０は、受信機構３３０、第１の変化機構３４０ならびに第２の変化機構３５０を有する。制御装置３２０は、車両３００のヘッドライト３７０の光放射を調整するように構成されている。
【００２９】
受信機構３３０は、変化イネーブル信号をイネーブル機構３１０から受信するよう構成されている。変化イネーブル信号が、ヘッドライト３７０の光放射を初期照射特性から最終照射特性へ変化することを許容する論理値を有する場合、受信機構３３０は、変化イネーブル信号を第１の変化機構３４０およびそれに加えて、またはその代わりに第２の変化機構３５０に出力またはさらに導通するように構成することができる。変化の実行を許容する論理値を備える変化イネーブル信号の受信に応答して、受信機構３３０は、時間発生器またはタイマをスタートさせ、第１の時間信号を形成し、第１の変化機構３４０に出力し、それに加えてまたはその代わりに第２の時間信号を形成し、第２の変化機構３５０に出力するように構成することができる。変化の実行を許可する論理値を備える変化イネーブル信号の受信により、デバウンシング時間がスタートする。
【００３０】
第１の変化機構３４０は、変化イネーブル信号およびそれに加えて、またはその代わりに第１の時間信号を受信機構３３０から受信するように構成されている。第１の変化機構３４０は、変化イネーブル信号に応答して、または第１の時間信号に応答して、ヘッドライトの光放射を初期照射特性から中間照射特性へ変化させるように構成されている。そのために第１の変化機構３４０またはこれに配設された機構が中間照射特性を決定することができる。この決定は、車両特性および／または車両３００の走行データ、および付加的に車両３００が運動する道路の傾斜に関する情報に基づいて行うことができる。この第１の変化機構３４０またはこれに配設された機構は、たとえば第１の時間信号を使用してこの変化を実行するための時点をオプションで求めることもできる。第１の変化機構３４０は、中間照射特性および／または時点を第１の制御情報の形態で制御機器３６０およびオプションで第２の変化機構３５０に出力するよう構成されている。
【００３１】
第２の変化機構３５０は、変化イネーブル信号およびそれに加えて、またはその代わりに第２の時間信号を受信機構３３０から受信し、オプションで第１の制御信号を第１の変化機構３４０から受信するように構成されている。第２の変化機構３５０は、ヘッドライト３７０の光放射を、デバウンシング時間の終了時に中間照射特性から最終照射特性へ変化させるように構成されている。ここでたとえば受信機構３３０からの第２の時間信号はデバウンシング時間の終了を指示することができる。またはデバウンシング時間の終了を第２の時間信号に基づいて求めることができる。第２の変化機構３５０またはこれに配設された機構は、たとえば第２の時間信号を使用してこの変化を実行するための時点をオプションで求めることもできる。第２の変化機構３５０は、最終照射特性および／または時点を第２の制御情報の形態で制御機器３６０に出力するよう構成されている。
【００３２】
制御機器３６０は、第１の制御情報および／または第２の制御情報を制御装置３２０から受信するように構成されている。制御機器３６０は、ヘッドライト３７０を制御するための制御信号を形成するようにも構成されている。制御機器は制御信号を形成する際に、第１の制御情報および／または第２の制御情報をヘッドライト３７０の光放射を制御するために考慮または使用することができる。したがって制御信号は、第１の制御情報および／または第２の制御情報を含むことができる。制御機器３６０は、制御信号をヘッドライト３７０に出力するよう構成されている。
【００３３】
ヘッドライト３７０は、制御信号を制御機器３６０から受信することができる。制御信号に含まれる第１の制御情報および／または第２の制御情報は、ヘッドライト３７０の光放射がデバウンシング時間中に初期照射特性から中間照射特性を介して最終照射特性に変化するよう作用することができる。
【００３４】
図４は、本発明の実施例による車両の少なくとも１つのヘッドライトの光放射を制御する方法４００のフローチャートである。この方法４００は、変化イネーブル信号への応答で始まるデバウンシング時間の間に、少なくとも１つのヘッドライトに光放射を初期照射特性から最終照射特性へ変化させるための当該変化イネーブル信号を受信するステップ４１０を有する。方法４００はまた、変化イネーブル信号に応答して少なくとも１つのヘッドライトの光放射を初期照射特性から中間照射特性へ変化するステップ４２０も有する。方法４００はまた、デバウンシング時間の終了時に、少なくとも１つのヘッドライトの光放射を中間照射特性から最終照射特性へ変化するステップ４３０も有する。方法４００は、たとえば図３の制御装置のような装置と関連して有利に実施することができる。したがって図３の制御装置は、方法４００のステップを実行するように構成することができる。
【００３５】
図５Ａから５Ｃは、本発明の実施例による車両ヘッドライトの種々の照射特性を示す図である。各図５Ａから５Ｃには、ヘッドライト３７０と光円錐体の形の照射特性とを有する車両３００が側面から見て図示されている。さらにそれぞれ平坦な道路も図示されている。車両３００は、図３の制御装置を有する車両とすることができる。図５Ａで照射特性は初期照射特性３７３であり、他車３９０が追加で示されている。初期照射特性３７３はたとえばロービームに対応することができる。初期照射特性３７３またはこれに基づいて形成された光円錐体は、他車３９０の領域で道路と収束する上側境界を有することができる。他車３９０は車両３００を基準にすると対向車である。図５Ｂで照射特性３７３は中間照射特性３７５であり、他車は図示されていない。中間照射特性３７５またはこれに基づいて形成された光円錐体は、道路にほぼ平行に延在する上側境界を有することができる。図５Ｃで照射特性は最終照射特性３７７である。最終照射特性３７７はたとえばハイビーム等に対応することができる。最終照射特性３７７またはこれに基づいて形成された光円錐体は、道路から拡散する上側境界を有することができる。
【００３６】
図５Ａから５Ｃに示された照射特性は、図４の方法のような光放射の制御方法を使用して得ることができる。他車３９０が交通空間に存在しなくなると、デバウンシング時間の第１の持続時間後に、初期照射特性３７３から出発して、光円錐体が０°を上回らない程度に上昇される。すなわち道路面に対して平行に、または水平方向に照射される（図５Ｂ参照）。デバウンシング時間の第１の持続時間はゼロにすることができる。すなわち対向車デバウンシングの意味では直ちに０°に調整することができる。中間照射特性３７５で光の照射を最大でも水平にすることにより、他の道路使用者３９０が現れた際に他の道路使用者は理想的には眩惑されない。なぜなら明暗境界が最大でも他車３９０のヘッドライトの高さにまでしか達しないからである。それでもなお道路上に格段に多くの光があるので車両３００の運転者は広い視界を有する。デバウンシング時間の待機時間とすることのできるさらなる持続時間後に、明暗境界はさらに持ち上げられ、必要な場合にはハイビーム３７７に切り換えられる（図５Ｃ参照）。図９にはヘッドライトのための基礎となる照射適合アルゴリズムの基本経過が示されている。
【００３７】
図６Ａから６Ｃは、本発明の実施例による車両ヘッドライトの種々の照射特性を示す図である。図６Ａから６Ｃの図示は、図５Ａから５Ｃの図示に対応する。しかし道路が部分的に傾斜している。正確に言うと、道路は左の図縁から図６Ａで車両３００と他車３９０の間の地点まで平坦であり、その地点から右の図縁まで傾斜している。図６Ｂでは付加的にヘッドライト構造高さｈｓが図示されている。中間照射特性３７５またはこれに基づき形成された光円錐体は、図６Ｂで上側境界を有することができる。この上側境界は、ヘッドライト構造高さｈｓとほぼ同じ間隔で道路の傾斜部分に近似的に平行である。
【００３８】
図６Ａから６Ｃに示された照射特性は、たとえば図４の方法のような光放射の制御方法を使用して得ることができる。たとえば図４の方法または図３の制御装置が、たとえば高度推定のための測定プログラムを備えるカメラのような勾配センサと、高度地図等を備え、車両３００前方の高度プロフィールを測定または推定するナビゲーション機器とを使用すれば、０°の照射角度の代わりに高度プロフィールに適合した中間照射特性の照射角度を調整することができる。照射角度は最大でも、ヘッドライト光円錐体がヘッドライト構造高さｈｓを上回らない大きさでなければならない（図６Ｂ参照）。この明暗境界の適合は、道路が平坦でない場合には勾配センサの使用に頼ることはできず、０°までの上昇が行われるだけである。図５Ｂ参照。
【００３９】
図７Ａから７Ｃは、本発明の実施例による車両ヘッドライトの種々の照射特性を示す概略図である。図７Ａから７Ｃの図示は、図５Ａから５Ｃの図示に対応する。しかし図７Ａには常に照明される領域を示すために２つの街灯が図示されている。
【００４０】
図７Ａから７Ｃに示された照射特性は、図４の方法のような光放射の制御方法を使用して得ることができる。このように常に照明される領域内、たとえば市街地内では、最終照射特性３７７に調整してはならず、ハイビームに切り換えてはいけない。市街地を去ると、再びハイビームに切り換えても良い。この場合、交通空間に他車が存在しなければ、中間ステップまたは中間照射特性３７５より上に明暗境界を上昇することができる。したがって常灯道路照明を去ると中間ステップまたは中間照射特性３７５が調整される。中間ステップまたは中間照射特性３７５に続いて最終照射特性３７７を調整することができる。
【００４１】
図８Ａから８Ｄは、本発明の実施例による車両ヘッドライトの種々の照射特性を示す線図である。各線図で横軸に時間ｔがプロットされており、時間値または時点ｔ１，ｔ２，ｔ３が記入されている。縦軸にはヘッドライト角度ａがプロットされており、３つのヘッドライト角度ａ１，ａ２，ａ３が記入されている。各線図には、ヘッドライト角度ａの経過が時間について示されている。ここで時点ｔ１から時点ｔ３までの時間は、車両の少なくとも１つのヘッドライトの光放射を制御するための図４の方法におけるデバウンシング時間である。図８Ａから８Ｄに示されたヘッドライト角度ａの経過は照射特性を表し、図４の光放射の制御方法を使用して得ることができる。
【００４２】
図８Ａに示されたヘッドライト角度８７３は、たとえばロービームの形の初期照射特性または出発ステップに対応する。中間ヘッドライト角度８７５は眩惑の減じられた中間ステップの形の中間照射特性に対応し、最終ヘッドライト角度８７７はハイビームの形の最終照射特性または眩惑ステップに対応する。出発ヘッドライト角度８７３は、時点ｔ１、すなわちデバウンシング時間の開始と時点ｔ２との間で一定の値ａ１を有する。時点ｔ２でヘッドライト角度が中間ヘッドライト角度８７５に上昇される。中間ヘッドライト角度８７５は、時点ｔ２から時点ｔ３、すなわちデバウンシング時間の終了まで一定の値ａ２を有する。時点ｔ３でヘッドライト角度が値ａ３の最終ヘッドライト角度８７７に上昇される。ここで値ａ２は値ａ１と値ａ３の間にある。図４の方法と関連すれば、図８Ａでは、出発ステップ８７３からたとえば最後の他車の消失後（ｔ１）に、眩惑の減じられた中間照射特性は値的８７５に切り換えられ（ｔ２）、それから眩惑ステップ８７７、すなわちハイビームに切り換えられる（ｔ３）。ここではステップ間ではっきりした切換が行われる。
【００４３】
図８Ｂは図８Ａに対応するが、値ａ１を有する出発ヘッドライト角度８７３が時点ｔ１まで、すなわちデバウンシング時間の開始まで存在し、時点ｔ２まで値ａ２を有する中間ヘッドライト角度８７５に連続的に上昇される点で異なる。図４の方法に関連すれば、図８では、他車が図に存在しなくなった後（ｔ１）または市街地から出た後（ｔ１）、ヘッドライト角度が出発ステップ８７３（ｔ１）から中間ステップ８７５（ｔ２）にランプ状に上昇する。しかし眩惑ステップ８７７（ｔ３）へのはっきりした切換が行われる。したがって時点ｔ１と時点ｔ２の間では中間ステップ８７５への連続的切換が行われ、時点ｔ３では眩惑ステップ８７７へはっきりした切換が行われる。このようなランプ状の上昇を使用することにより、種々のステップの起動を比較的緩慢に行うことができ、図８Ｂに示すようにヘッドライト角度をランプ状に変化することができる。
【００４４】
図８Ｃは図８Ａに相当するが、出発ヘッドライト角度８７３が時点ｔ１と時点ｔ３との間で一定の値ａ１を有する点で異なる。ここで値ａ１は、図８Ａと８Ｂの対応する値ａ１より高められており、値ａ２と値ａ３の間にある。時点ｔ３でヘッドライト角度が出発ヘッドライト角度８７３から最終ヘッドライト角度８７７に上昇される。図４の方法に関連すれば、図８Ｃには、スタート角度または出発ヘッドライト角度８７３が、図８Ａに示す標準方法と比較して中間ステップの目標角度ａ２より大きい場合には出発ヘッドライト角度８７３が維持されることが示されている。したがってスタート角度ａ１が通常の中間ステップａ２より高い場合には、高められた出発ヘッドライト角度８７３を維持することができる。たとえば時点ｔ１でＡＨＣによって照射角が水平（０°）より上に、または勾配センサにより測定された勾配よりも高く調整された場合、この最初の光分布が中間ステップとして古典的なデバウンシングのように維持される。これにより運転者の視界は低減されず、しかし図８Ｃに示すように眩惑のおそれが大きいので上昇もされない。基礎となるアルゴリズムのフローチャートが図１０に示されている。
【００４５】
図８Ｄも図８Ａに対応するが、値ａ２を有する１つの中間ヘッドライト角度の代わりに、ここでは２つの中間ヘッドライト角度が図示されている。第１の中間ヘッドライト角度８７５は値ａ２，ａ）を有し、第２の中間ヘッドライト角度８７６は値ａ２，ｂ）を有する。図８Ｄのすべての角度値の関係は、ａ１＜ａ２，ａ）＜ａ２，ｂ）＜ａ３である。時点ｔ２で初期ヘッドライト角度８７３が第１の中間ヘッドライト角度８７５に上昇される。時点ｔ２と時点ｔ３の間の時間では、第１の中間ヘッドライト角度８７５が第２の中間ヘッドライト角度８７６に上昇される。時点ｔ３で第２のヘッドライト角度８７６が最終ヘッドライト角度８７７に上昇される。したがって図８Ｃは、複数のステップまたは複数の中間ステップを有する実施例を示す。ここでは１つの中間ステップではなく、原則的に任意の数の中間ステップを設けることができる。
【００４６】
図９は、本発明の実施例による車両の少なくとも１つのヘッドライトの光放射を制御する方法のフローチャートをアルゴリズム９００の形に示す。
【００４７】
開始時には、低い明暗境界、ロービーム、または図８Ａ、８Ｂ、８Ｄの初期ヘッドライト角度に対応する状態８７３が存在する。ステップ９１０で、第１のタイマ９１２またはそれからの信号が待機される。ステップ９１５で中間ステップが計算される。ここで勾配センサ９１７がセンサデータをステップ９１５に対する入力量として送出することができる。ただし勾配センサ９１７はオプションである。ステップ９２０で中間ステップが起動される。中間ステップは、図８Ａ、８Ｂ、８Ｄの中間ステップまたは中間ヘッドライト角度、たとえば０°の照射角とすることができる。ステップ９２５で、次に高いステップのタイマ９２７またはそれからの信号が待機される。複数の中間ステップが設けられている場合、ステップ９１５および／またはステップ９２５はオプションとすることができる。ステップ９３０で高い明暗境界が起動され、この高い明暗境界はハイビームまたは図８Ａから８Ｄの最終ヘッドライト角度に対応することができる。
【００４８】
したがって図９は、比較的高い角度を維持しないアルゴリズムのフローチャートを示す。１つの勾配センサおよび複数の中間ステップにより拡張することも基本的に可能である。
【００４９】
図１０は、本発明の実施例による車両の少なくとも１つのヘッドライトの光放射を制御する方法のフローチャートをアルゴリズム１０００の形に示す。
【００５０】
ステップ９１０で、デバウンシング時間の第１の持続時間が経過したことが確定される。ステップ９１５で、中間ステップまたは中間ステップのための目標角度が計算される。ステップ１０１５で、中間ステップに対する目標角度が実際角度より大きいか否かが検査される。中間ステップに対する目標角度が実際角度より大きければ、ステップ９２０で中間ステップに対する目標角度に接近される。中間ステップに対する目標角度は、図８Ａ、８Ｂまたは８Ｄの中間ヘッドライト角度、たとえば０°の照射角に対応することができる。中間ステップに対する目標角度が実際角度より大きくなければ、ステップ１０２０で実際角度が維持される。ステップ９２５で、デバウンシング時間の第２の持続時間が経過したことが確定される。ステップ９３０で高い明暗境界が起動される。この高い明暗境界はハイビームまたは図８Ａから８Ｄの最終ヘッドライト角度に対応することができる。
【００５１】
したがって図１０は、制御の際に最大角度を維持するためのアルゴリズムのフローチャートを示す。
【００５２】
図３から１０を参照して、本発明の実施例を以下にまとめて説明する。
【００５３】
制御装置３２０と関連して実行することのできる方法４００は、ある程度滑らかな照明距離（ＧＬＷ）の詳細な実現、すなわち連続的な調整ではなくステップごとの調整、したがい照明距離調整の特殊な場合である。これにより予防的眩惑回避のためのデバウンシング時間中に照明距離を、たとえばＡＨＣ（適応形ハイビームコントロール）、ＣＨＣまたはＡＬＣ（適応形ロービームコントロール）でも高めることができる。ヘッドライト３７０の照射角は、中間ステップまたは少なくとも１つの中間ステップで高められる。この場合、デバウンシング時間を種々のステップに分割することができる。これは図８Ａに例として図示されている。
【００５４】
たとえばハイビームをスイッチオンすべきとき、ヘッドライト角度はまずランプ状に最大角８７７に調整され、それからハイビーム分布が調整される。これによりハイビームへの切換が緩やかになり、このことは運転者にとって快適である。明暗境界（ＨＤＧ）がロービームとハイビームとの間で擬似的に無段階で調整することのできる滑らかな照明距離（ＡＨＣ、適応形ハイビームコントロール）が設けられていない場合、明暗境界をダイナミックな照明距離調整により適合することができる。これはダイナミック照明距離調整（ＡＬＣ、適応形ロービームコントロールとも）が組み込まれた純粋なハイビームアシスト（ＨＢＡ、ハイビームアクティベーション）の場合である。たとえばキセノンヘッドライトの場合には、法規制のため常に組み込まれている。実施例でハイビームがまだスイッチオンされない場合、それでも明暗境界を高めることができ、それによりハイビームデバウンシング時間前の視界を高めることができる。このとき予防的眩惑回避は維持される。デバウンシング時間の代わりにデバウンシング距離を使用することもできる。この場合は、車両がある程度の距離を走行してから、別の照射特性に切り替わるか、またはそれらの組合せが使用される。
【００５５】
前記および図面に示された実施例は単なる例として選択されたものである。種々の異なる実施例を個々の特徴に基づき互いに組み合わせることができる。実施例を別の実施例の特徴により補うこともできる。さらに本発明の方法工程は繰り返すことも、記述の順序で実施することもできる。実施例が第１の特徴と第２の特徴との「および／または」結合を含む場合、１つの実施形態によればこの実施例は第１の特徴も第２の特徴も含み、別の実施形態によれば第１の特徴または第２の特徴のいずれかだけを有することを意味する。
【図１】
2013043640.tif 000003
【図２】
2013043640.tif 000004
【図３】
2013043640.tif 000005
【図４】
2013043640.tif 000006
【図５】
2013043640.tif 000007
【図６】
2013043640.tif 000008
【図７】
2013043640.tif 000009
【図８】
2013043640.tif 000010
【図９】
2013043640.tif 000011
【図１０】
2013043640.tif 000012